(57)【要約】【課題】短時間でユーザが望む再生開始位置を検出する動画再生装置及び動画再生方法を提供する。【解決手段】実施形態に係る動画再生装置は、スキップ手段を備える。前記スキップ手段は、所定キーの操作に基づいて、動画映像の１ファイルの全ての映像時間の１／ｓだけ再生開始位置を現在再生開始位置から進む方向に移動させる。【選択図】      図７
2012170129.tif 000002
【特許請求の範囲】
【請求項１】
所定キーの操作に基づいて、動画映像の１ファイルの全ての映像時間の１／ｓだけ再生開始位置を現在再生開始位置から進む方向に移動させるスキップ手段を備える動画再生装置。
【請求項２】
前記スキップ手段は、前記所定キーと異なるキーの第１の操作に基づいて、前記１ファイルの全ての映像時間の１／ｒだけ前記再生開始位置を前記現在再生開始位置から進む方向に移動させる、請求項１記載の動画再生装置。
【請求項３】
前記スキップ手段は、前記所定キーと異なるキーの第２の操作に基づいて、前記１ファイルの全ての映像時間の１／ｑだけ前記再生開始位置を前記現在再生開始位置から進む方向に移動させる、請求項２記載の動画再生装置。
【請求項４】
前記１ファイル全体における前記再生開始位置を表示する表示手段と、
前記スキップ手段により移動した前記再生開始位置から前記動画映像を再生する再生制御手段と、
を備える請求項１記載の動画再生装置。
【請求項５】
所定キーの操作に基づいて、動画映像の１ファイルの全ての映像時間の１／ｓだけ再生開始位置を現在再生開始位置から進む方向に移動させる、
動画再生方法。
【発明の詳細な説明】
【技術分野】
【０００１】
本発明は、動画再生機能を有する動画再生装置及び動画再生方法に関する。
【背景技術】
【０００２】
近年、多機能なデジタルスチルカメラやデジタルビデオカメラなどのデジタル機器の普及が目覚しい。このような多機能なデジタル機器の操作性向上に関する各種提案がなされている。デジタルビデオカメラに一体となって設けられた表示部で撮影した動画を再生表示する場合、早送り、巻き戻し機能を用いて、ユーザが所望する位置から再生できるように調整している。そして、動画の撮影、再生時にＭＰＥＧやＨ．２６４等で圧縮した動画データを扱うカメラが最近では普及している。
【０００３】
特許文献１には、記録媒体に記録されたファイルのどの位置からでも、簡単な操作によって指定された位置に再生開始位置を移動して再生を開始する構成が開示されている。
【先行技術文献】
【特許文献】
【０００４】
【特許文献１】特開２００４−２２０７２７号公報
【発明の概要】
【発明が解決しようとする課題】
【０００５】
しかしながら、上記提案による撮影装置では、再生しようとしている動画ファイルについて、再生開始位置を等時間間隔で移動する構成である。そのため、撮影時間の長い動画ファイルの場合は、ユーザが望む再生開始位置に到達するまでに時間がかかり、撮影時間の短い動画ファイルの場合は、ユーザが望む再生開始位置を通り過ぎてしまうことが生ずることがある。
【０００６】
本発明の目的は、上記課題を解決するためになされたものであり、短時間でユーザが望む再生開始位置を検出する動画再生装置及び動画再生方法を提供することである。
【課題を解決するための手段】
【０００７】
実施形態に係る動画再生装置は、スキップ手段を備える。前記スキップ手段は、所定キーの操作に基づいて、動画映像の１ファイルの全ての映像時間の１／ｓだけ再生開始位置を現在再生開始位置から進む方向に移動させる。
【発明の効果】
【０００８】
本発明によれば、動画ファイルの１ファイル分の再生時間に関係なく、閲覧したい動画の開始点に簡単かつ高速に検索し、再生することが可能となる。
【図面の簡単な説明】
【０００９】
【図１】発明の一実施の形態に係る撮影装置を示す外観図。
【図２】発明の一実施の形態に係る撮影装置を示す外観図。
【図３】発明の一実施の形態に係る撮影装置の操作キーを示す外観図。
【図４】発明の一実施の形態に係る撮影装置の構成を示すブロック図。
【図５】発明の一実施の形態に係る撮影装置で撮影した動画ファイルの構成を示す図。
【図６】発明の一実施の形態に係る撮影装置における再生開始位置の移動を示す図。
【図７】発明の一実施の形態に係る撮影装置における再生開始位置の移動を示す図。
【図８】発明の一実施の形態に係る撮影装置における再生開始位置の移動について示すフローチャート。
【発明を実施するための形態】
【００１０】
以下、図面を参照し、本発明の実施形態について説明する。
【００１１】
図１及び図２は、この発明の映像撮影装置の一例を示す図である。図１は、映像撮影装置を構成する本体に設けられた収納部に対して表示部を収納した状態を示す図である。図２は、表示部に表示される映像を視認可能な状態にした様子を示す図である。
【００１２】
図１及び図２に示すように、映像撮影装置は、本体１を備えており、この本体１は、レンズ２、フラッシュ３、静止画レコードボタン４、表示部５、動画レコードボタン６、ジョグダイヤル７、十字キー８、メニューボタン９、ズームバー１０、モードレバー１１、パワーボタン１２などを備えている。
【００１３】
さらに、本体１は、収納部２１を備えており、この収納部２１に、表示部５を収納することができる。表示部５は、可動自在に構成されており、収納部２１から取り出して、表示面を任意の角度に調整することができる。表示部５は、ＬＣＤ（液晶ディスプレイ）５１及びスピーカー５２を備えている。
【００１４】
図３は、ジョグダイヤル及び決定ボタンの詳細を説明するための図である。
【００１５】
図３に示すように、ジョグダイヤル７は、円環状に構成されている。このジョグダイヤル７は、右方向及び左方向に回転可能な構成となっている。なお、このジョグダイヤル７は、円環状だけに限定されるものではなく、指が引っ掛かりやすいように多角形の環状であってもよい。ユーザがジョグダイヤル７を回転させることで、再生速度、巻き戻し速度は可変となる。
【００１６】
さらにこのジョグダイヤル７の内側には、円形の十字キー８が配置されている。十字キー８は、中心位置にＯＫキー８１、上位置にＵＰキー８２、下位置にＤＯＷＮキー８３、右位置に右キー（方向キー）８４、左位置に左キー（方向キー）８５を備えている。
【００１７】
図４は、図１〜図３を参照して説明した映像撮影装置の概略構成を示すブロック図である。
【００１８】
図４に示すように、映像撮影装置は、ＣＣＤ１０１、信号処理回路１０２、伸張／圧縮回路（ＪＰＥＧ／ＭＰＥＧ／Ｈ．２６４）１０３、メモリ１０４、ＨＤＤ１０５、メモリカード１０６、デコーダ１０７、ＬＣＤドライバ１０８、ＬＣＤ５１、ＬＡＮコントローラ１１０、ＵＳＢコントローラ１１１、ＬＡＮ端子１１２、ＵＳＢ端子１１３、ＣＰＵ１１４などを備えている。これらは、バス１１５を介して接続されている。
【００１９】
静止画レコードボタン４の操作に対応して、ＣＣＤ１０１は、レンズ２を介して得られる光（静止画像）を電気信号に変換する。或いは、動画レコードボタン６の操作に対応して、ＣＣＤ１０１は、レンズ２を介して得られる光（動画像）を電気信号に変換する。信号処理回路１０２は、ＣＣＤ１０１から出力される電気信号をデジタル信号へ変換する。伸張／圧縮回路１０３は、静止画像のデジタル信号をＪＰＥＧに準拠した画像信号へエンコードする。或いは、伸張／圧縮回路１０３は、動画像のデジタル信号をＭＰＥＧまたはＨ．２６４に準拠した画像信号へエンコードする。ＨＤＤ１０５は、メモリ１０４を介して提供される画像信号を記憶する。着脱可能なメモリカード１０６も、同様に、メモリ１０４を介して提供される画像信号を記憶する。デコーダ１０７は、メモリを介して提供される画像信号をデコードする。ＬＣＤドライバ１０８は、デコードされた画像信号に基づきＬＣＤ５１の駆動を制御し、液晶ディスプレイ上に画像信号を出力する。
【００２０】
記録済み画像の再生時には、デコーダ１０７は、ＨＤＤ１０５又はメモリカード１０６から伸張／圧縮回路１０３、メモリ１０４を介して提供される画像信号をデコードする。ＬＣＤドライバ１０８は、デコードされた画像信号に基づきＬＣＤ５１の駆動を制御し、ＬＣＤ５１上に画像信号を出力する。
【００２１】
動画再生時は、通常の再生以外に、逆再生、高速再生、高速逆再生、コマ送り、コマ戻しなどのトリック再生が簡単に実現でき、さらにテープと違ってＨＤＤ１０５またはメモリカード１０６などのランダムアクセス可能なメディアから読み出すため、見たい画像のサーチも容易にできる。
【００２２】
ＨＤＤ１０５又はメモリカード１０６に記録された画像を外部機器（ＰＣ等）に対して転送したり、或いは画像を外部機器から受信したりする場合は、ＵＳＢコントローラ１１１を介してＵＳＢ端子１１３から送受信する。また、ＰＣ等の外部機器を介さずに、例えばＤＶＤレコーダのような画像記録再生装置に対して、直接、エンコードされた画像を送受信することもできる。
【００２３】
次に、図５から図８を用いて、動画ファイルの１ファイル分における再生開始位置の移動操作について説明する。図５は、メモリ１０４に記録されているＭＰＥＧ、Ｈ．２６４等で圧縮された動画ファイルの１ファイル分のデータ構造を示す。
【００２４】
メモリ１０４に記録されている動画ファイルは、動画ファイルに記録されている複数の圧縮動画に関する情報を含む管理情報記録エリアであるヘッダ部分を有している。そして、動画ファイルは、ヘッダ部分の後ろに、圧縮された動画データを記録する動画圧縮データ（圧縮動画）である複数個のＧＯＰ（ｇｒｏｕｐ  ｏｆ  ｐｉｃｔｕｒｅ）が続いて構成されている。動画ファイルを構成するＧＯＰの数は撮影時間に比例する。つまり、１つのＧＯＰは通常０．５秒分の圧縮動画データを持つ。例えば、２０分の画像では、２０分×６０秒／０．５＝２４００個のＧＯＰが作られる。ヘッダはＧＯＰ情報を有しており、例えば、ＧＯＰの総数、各ＧＯＰのサイズが記録されている。この場合２４００個のＧＯＰ個々のサイズ情報が記録されている。
【００２５】
図６は、ジョグダイヤル７および十字キー７の操作による再生開始位置の移動について示した図である。はじめに、メモリ１０４は、動画ファイルをＧＯＰ毎のサイズ情報等を記録している。そして、ユーザが、所望の動画ファイルを選択し、その動画ファイルの途中から再生をしたい場合について説明する。
【００２６】
ユーザは、再生する動画ファイルを所定の操作により選択すると、ＣＰＵ１１４は、選択された動画ファイルをＬＣＤ５１に表示するように制御する。そして、ユーザが、選択された動画ファイルの再生開始位置の移動を設定するための設定画面にするための指示（例えば特定のボタンの押下）をすると、ＣＰＵ１１４は、再生開始位置変更モードとしてＬＣＤ５１に表示する。
【００２７】
再生開始位置変更モードは、動画ファイルの最初の映像、再生開始位置表示バー、再生開始位置表示バー上に現在の再生開始位置が表示されている。現在の再生開始位置は、図６に示すように、再生開始位置表示バーの横軸を動画ファイルの開始から終了までの１ファイル分と換算したときの位置に表示されている。例えば、再生開始位置が、動画ファイルの半分の位置に移動された場合、ＬＣＤ５１上に表示される再生開始位置は、再生開始位置表示バーのちょうど半分の位置に表示されることとなる。
【００２８】
次に、ユーザが再生開始位置変更モードにおいてジョグダイヤル７および十字キー８を左右操作したときのＬＣＤ５１上に示された現在の再生開始位置表示の移動について説明する。ＣＰＵ１１４は、ジョグダイヤル７および十字キー８の操作に応じて、それぞれ動画ファイルの全体のＧＯＰ数に対してある割合（ＧＯＰ単位）で移動させる。
【００２９】
本実施例では、ジョグダイヤル７の左または右方向への回転操作で動画データ全体のＧＯＰ数の１／１００のＧＯＰ数、十字キー８の右キー８４または左キー８５の押下で動画データ全体のＧＯＰ数の１／５０のＧＯＰ数、十字キー８の右キー８４または左キー８５の所定時間以上の長押し（連続入力）で動画データ全体のＧＯＰ数の１／２０のＧＯＰ数をＣＰＵ１１４は、現在の再生開始位置から移動するように制御する。ＣＰＵ１１４は、ジョグダイヤル７の右方向への回転操作、十字キー８の右キー８４の押下、十字キー８の右キー８４の所定時間以上の長押しされたと判断すると、それぞれの操作に応じたＧＯＰ数を現在の再生開始位置から進む方向に再生開始位置を移動するように制御する。ＣＰＵ１１４は、ジョグダイヤル７の左方向への回転操作、十字キー８の左キー８５の押下、十字キー８の左キー８５の所定時間以上長押しされたと判断すると、それぞれの操作に応じたＧＯＰ数を現在の再生開始位置から戻る方向に再生開始位置を移動するように制御する。ジョグダイヤル７および十字キー８の操作に応じて移動する動画ファイルの全体のＧＯＰ数に対する割合（ＧＯＰ単位）は、上記に限られるものではなく、それぞれ異なる割合であればよい。
【００３０】
そして、ＣＰＵ１１４は、ジョグダイヤル７および十字キー８の操作のそれぞれについて全動画ファイルのＧＯＰ数に対する移動量をＧＯＰ単位で算出し、ジョグダイヤル７および十字キー８の操作のそれぞれに応じて再生開始位置の移動を繰り返す。
【００３１】
例えば、図６（１）は、再生開始位置変更モードの初期画面である。ＬＣＤ５１上に表示される再生開始位置は、再生開始位置表示バーの横軸の左端、つまり、動画ファイルのＧＯＰ番号が♯１の圧縮動画を再生する位置である。この状態から、ユーザがジョグダイヤル７を右方向に回転操作した場合を図６（ｂ）に示す。ユーザが、ジョグダイヤル７を右方向に回転操作した場合、ＣＰＵ１１４は、再生開始位置を動画ファイルのＧＯＰ番号が♯１の圧縮動画を再生する位置から動画データ全体のＧＯＰ数の１／１００のＧＯＰ数分進める。そして、ユーザが、もう１度ジョグダイヤル７を右方向に回転操作した場合、ＣＰＵ１１４は、ＧＯＰ番号が♯１の圧縮動画を再生する位置から動画データ全体のＧＯＰ数の１／１００のＧＯＰ数分進めた位置から、再生開始位置をさらに動画データ全体のＧＯＰ数の１／１００のＧＯＰ数分進める。
【００３２】
次に、ユーザが十字キー８の右キー８４を押下した場合、図６（ｃ）に示すように、ＣＰＵ１１４は、上記のジョグダイヤル７の右方向への２回の回転操作により、動画ファイルのＧＯＰ番号が♯１の圧縮動画を再生する位置から動画データ全体のＧＯＰ数の１／１００のＧＯＰ数の２倍進めた位置から、再生開始位置をさらに動画データ全体のＧＯＰ数の１／５０のＧＯＰ数分進める。
【００３３】
そして、図６（ｄ）は、図６（ｃ）に示す再生開始位置でユーザが上キー８２（再生開始キー）を押下した場合を示している。ＣＰＵ１１４は、上キー８２の押下を検出すると、現在の再生開始位置が設定されたＧＯＰ番号に対応する圧縮動画から再生を開始する。
【００３４】
上記示すように、再生開始位置変更モード中に、ユーザがジョグダイヤル７および十字キー８を操作するごとに、ＣＰＵ１１４は、再生開始位置を順次移動し、ＬＣＤ５１に表示された再生開始位置表示バーに再生開始位置を表示するようにしている。そのため、ユーザは、再生開始位置表示バーにおける再生開始位置の位置関係を容易に認識することができ、所望の再生開始位置に設定できているのか否かを確認できる。
【００３５】
ここでは、ＬＣＤ５１は、再生開始位置表示バーに再生開始位置が、現在、動画ファイル全体のどの割合に位置しているのかを示しているが、動画ファイル全体を１００としときの再生開始位置の割合を表示するようにしてもよい。
【００３６】
また、ユーザによるジョグダイヤル７および十字キー８の操作ごとに、ＣＰＵ１１４は、ＬＣＤ５１に表示される再生開始位置表示バーの再生開始位置を移動させて表示するようにするとともに、移動された再生開始位置におけるＧＯＰ番号の圧縮動画の開始画像（例えば静止画）を表示するようにしてもよい。
【００３７】
次に、ジョグダイヤル７および十字キー８の操作によってユーザの閲覧希望位置に再生開始位置を移動する例を説明する。ユーザが、図７に示す１ファイル分でＧＯＰ数２４００、記録時間２０分の動画ファイルについて、半分の位置（再生開始位置をＧＯＰ番号が♯１２００までの圧縮動画が終わり、ＧＯＰ番号が♯１２０１の圧縮動画が開始する位置、記録時間１０分）あたりから、再生したい場合である。
【００３８】
ジョグダイヤル７および十字キー８の操作による再生開始位置が移動するＧＯＰ数は、上記に述べた割合で増減する。そして、ユーザが、以下のようにジョグダイヤル７および十字キー８を操作した場合、ＣＰＵ１１４は、以下に示すように再生開始位置を移動させるＧＯＰ数を検出する。
【００３９】
はじめに、ユーザが十字キー８の右キー８４を単発で３回押下したとする。ＣＰＵ１１４は、十字キー８の右キー８４による単発の１回の押下の検出で、ＧＯＰ数の移動量は、２４００×１／５０＝４８（ＧＯＰ）分と判断する。そして、ＣＰＵ１１４は、現在の再生開始位置がどこに設定されているかを検出する。ここでは、現在の再生開始位置は、ＧＯＰ番号が♯１の圧縮動画を再生する位置である。ＣＰＵ１１４は、１回目の右キー８４の押下の検出に従って、再生開始位置を、ＧＯＰ番号が♯１の圧縮動画を再生する位置から４８ＧＯＰ分進めて、ＧＯＰ番号が♯４８の圧縮動画が終了し、ＧＯＰ番号が♯４９の圧縮動画の再生を開始する位置に移動する。
【００４０】
次に、２回目の右キー８４の押下の検出に従って、ＣＰＵ１１４は、再生開始位置を、ＧＯＰ番号が♯４８の圧縮動画が終了し、ＧＯＰ番号が♯４９の圧縮動画の再生を開始する位置から、４８ＧＯＰ分進めて、ＧＯＰ番号が♯９６の圧縮動画が終了し、ＧＯＰ番号が♯９７の圧縮動画の再生を開始する位置に移動する。
【００４１】
そして、３回目の右キー８４の押下の検出に従って、ＣＰＵ１１４は、再生開始位置を、ＧＯＰ番号が♯９６の圧縮動画が終了し、ＧＯＰ番号が♯９７の圧縮動画の再生を開始する位置から、４８ＧＯＰ分進めて、ＧＯＰ番号が♯１４４の圧縮動画が終了し、ＧＯＰ番号が♯１４５の圧縮動画の再生を開始する位置に移動する。
【００４２】
つまり、十字キー８の右キー８４による単発の３回の押下の検出で、ＧＯＰ数の移動量は、（２４００×１／５０）×３＝４８×３＝１４４（ＧＯＰ）分となる。
【００４３】
そして、その後に、ユーザが十字キー８の右キー８４の所定時間以上の長押しを９回したとする。ＣＰＵ１１４は、十字キー８の右キー８４による１回の長押しの検出で、ＧＯＰ数の移動量は、２４００×１／２０＝１２０（ＧＯＰ）分と判断する。そして、ＣＰＵ１１４は、現在の再生開始位置がどこに設定されているかを検出する。ここでは、現在の再生開始位置は、右キー８４の３回の単発の押下の検出によって移動したＧＯＰ番号が♯１４４の圧縮動画が終了し、ＧＯＰ番号が♯１４５の圧縮動画の再生を開始する位置である。ＣＰＵ１１４は、１回目の右キー８４の長押しの検出に従って、再生開始位置を、ＧＯＰ番号が♯１４４の圧縮動画が終了し、ＧＯＰ番号が♯１４５の圧縮動画の再生を開始する位置から１２０ＧＯＰ分進めて、ＧＯＰ番号が♯２６４の圧縮動画が終了し、ＧＯＰ番号が♯２６５の圧縮動画の再生を開始する位置に移動する。
【００４４】
同様に、右キー８４の２回目から９回目までの長押しの検出によって、ＣＰＵ１１４は、再生開始位置を、ＧＯＰ番号が♯１２２４の圧縮動画が終了し、ＧＯＰ番号が♯１２２５の圧縮動画の再生を開始する位置に移動する。
【００４５】
つまり、十字キー８の右キー８４による９回の長押しの検出で、ＧＯＰ数の移動量は、（２４００×１／２０）×９＝１２０×９＝１０８０（ＧＯＰ）分となる。
【００４６】
次に、ユーザによるジョグダイヤル７の左方向へ回転操作したとする。ＣＰＵ１１４は、１回のジョグダイヤル７の左方向への回転操作の検出で、ＧＯＰ数の移動量は、−（２４００×１／１００）×１＝−２４×１＝−２４（ＧＯＰ）分と判断する。ここで上記マイナスは、再生開始位置をＧＯＰ番号が小さい方向に戻すことを意味している。そして、ＣＰＵ１１４は、現在の再生開始位置がどこに設定されているかを検出する。ここでは、現在の再生開始位置は、右キー８４の３回の単発の押下の検出、その後、右キー８４の９回の所定時間以上の長押しの検出によって移動したＧＯＰ番号が♯１２２４の圧縮動画が終了し、ＧＯＰ番号が♯１２２５の圧縮動画の再生を開始する位置である。
【００４７】
ＣＰＵ１１４は、１回のジョグダイヤル７の左方向への回転操作の検出で、再生開始位置を、ＧＯＰ番号が♯１２２４の圧縮動画が終了し、ＧＯＰ番号が♯１２２５の圧縮動画の再生を開始する位置から２４ＧＯＰ分戻して、ＧＯＰ番号が♯１２００の圧縮動画が終了し、ＧＯＰ番号が♯１２０１の圧縮動画の再生を開始する位置に移動する。
【００４８】
つまり、ジョグダイヤル７の左方向への回転操作１回の検出で、ＧＯＰ数の移動量は、２４００／１００＝２４（ＧＯＰ）分となる。
【００４９】
従って、ユーザによる右キー８４の３回の単発の押下、右キー８４の９回の所定時間以上の長押し、ジョグダイヤル７の左方向への回転操作１回の操作を検出したことで、ＣＰＵ１１４は、再生開始位置を１４４＋１０８０−２４＝１２００（ＧＯＰ）分移動させることになる。そして、ユーザがその後、動画ファイルを現在の再生開始位置から再生するために上キー８４を押下したとき、ＣＰＵ１１４は、現在の再生開始位置であるＧＯＰ番号が♯１２０１の圧縮動画から再生を開始する。つまり、ＣＰＵ１１４は、上記操作により動画ファイルの先頭（ＧＯＰ番号が♯１）からトータルのＧＯＰ数が１２００分（約１０分）までは再生処理せず、次のＧＯＰ番号が♯１２０１の圧縮動画から再生処理する。
【００５０】
ユーザは、長時間の動画ファイルについて、今見ている画像から見たい画像までの時間が離れている場合、例えば、撮影時間の半分から再生したい場合、早送りや最高速再生で所望の再生開始位置を検出するのでは時間がかかる。例えば、１５倍速で３０分離れた画像に到達するのに２分かかる。また、高速再生しているときに、動画ファイルが数１０秒程度の短い動画ファイルのときにはすぐに再生が終わり、さらに次の動画ファイルの再生に移ってしまうこともある。
【００５１】
本実施形態によるＣＰＵ１１４がジョグダイヤル７および十字キー８の操作を検出することで所定の割合のＧＯＰ数をスキップさせる構成では、ユーザは、再生したい動画ファイルについて、簡単な操作で早く再生開始位置を検出することができる。また、再生開始位置変更モードが選択された動画ファイルについて、その動画ファイルの最後のＧＯＰ番号を超えて再生開始位置を移動するようなジョグダイヤル７および十字キー８の操作をＣＰＵ１１４が検出しても、その動画ファイルの最後のＧＯＰ番号の圧縮動画が終了した時点で再生開始位置を固定するようにすることで、選択した動画ファイル全体のＧＯＰ数内で再生開始位置が移動するため、誤って別の動画ファイルに移ることがなくなる。
【００５２】
図８は、上記説明した再生開始位置の移動についてまとめたフローチャートである。はじめに、ＣＰＵ１１４は、ユーザにより再生するための動画ファイル（再生ファイル）が選択されると、選択された動画ファイルに対して再生制御を開始する（ステップＳ１００）。ＣＰＵ１１４が、この動画ファイルに対して再生開始位置を変更するための再生開始位置変更モードが選択されたか否かを判断する（ステップＳ１０１）。再生開始位置変更モードが選択されていなければ（ステップＳ１０１、ＮＯ）、ＣＰＵ１１４は、この動画ファイルについて、最初から（ＧＯＰ番号が♯１の圧縮動画から）再生処理する（ステップＳ１１６）。
【００５３】
再生開始位置変更モードが選択されていれば（ステップＳ１０１、ＹＥＳ）、ＣＰＵ１１４は、ＬＣＤ５１等の表示デバイス上に動画ファイルとともに、再生開始位置表示バーを表示し、再生開始位置表示バー上に現在の再生開始位置を表示する（ステップＳ１０２）。再生開始位置は、最初は、動画ファイルのＧＯＰ番号が♯１の圧縮動画を再生する位置である。次に、ＣＰＵ１１４は、図５に示すようなメモリ１０４に記録されているこの動画ファイルのヘッダに含まれるＧＯＰ情報から動画ファイル全体のＧＯＰ数（ｔ）を取得する（ステップＳ１０３）。そして、ＣＰＵ１１４は、動画ファイル全体のＧＯＰ数（ｔ）を２０等分したＧＯＰ数（ｑ＝ｔ／２０）を取得する（ステップＳ１０４）。同様に、ＣＰＵ１１４は、動画ファイル全体のＧＯＰ数（ｔ）を５０等分したＧＯＰ数（ｒ＝ｔ／５０）を取得する（ステップＳ１０５）。また、ＣＰＵ１１４は、動画ファイル全体のＧＯＰ数（ｔ）を１００等分したＧＯＰ数（ｓ＝ｔ／１００）を取得する（ステップＳ１０６）。
【００５４】
そして、ＣＰＵ１１４は、ユーザによって再生開始キーである上キー８２が押下されたか否かを判断する（ステップＳ１０８）。上キー８２が押下されたと判断すると（ステップＳ１０８、ＹＥＳ）、ＣＰＵ１１４は、この動画ファイルについて、再生開始位置が設定されたＧＯＰ番号以降の圧縮動画について再生処理する（ステップＳ１１６）。上キー８２が押下されていないと判断すると（ステップＳ１０８、ＮＯ）、ＣＰＵ１１４は、ジョグダイヤル７による入力操作がなされたか否かを判断する（ステップ１０９）。
【００５５】
ジョグダイヤル７による入力操作がなされたと判断すると（ステップ１０９、ＹＥＳ）、ＣＰＵ１１４は、ステップＳ１０６で求めた動画ファイル全体のＧＯＰ数の１／１００のＧＯＰ数（ｓ）だけ、ジョグダイヤル７の回転方向に応じて再生開始位置を現在の再生開始位置から進む方向または戻る方向に移動する（ステップＳ１１２）。
【００５６】
ジョグダイヤル７による入力操作がなされていないと判断すると（ステップ１０９、ＮＯ）、ＣＰＵ１１４は、十字キー８の右キー８４または左キー８５が押下されたか否かを判断する（ステップＳ１１０）。十字キー８の右キー８４または左キー８５が押下されていないと判断すると（ステップＳ１１０、ＮＯ）、ステップＳ１０７に戻って、ＣＰＵ１１４は、ＬＣＤ５１上に表示された動画ファイルについて再生開始位置が移動されていれば、現在の再生開始位置から再生開始位置を変更する（ステップＳ１０７）。
【００５７】
十字キー８の右キー８４または左キー８５が押下されたと判断すると（ステップＳ１１０、ＹＥＳ）、ＣＰＵ１１４は、十字キー８の右キー８４または左キー８５が所定時間以上の長押し（連続入力）であるか否かを判断する（ステップＳ１１１）。所定時間以上の長押し（連続入力）でないと判断した場合（ステップＳ１１１、ＮＯ）、ＣＰＵ１１４は、ステップＳ１０５で求めた動画ファイル全体のＧＯＰ数の１／５０のＧＯＰ数（ｒ）だけ、十字キー８の右キー８４による押下か左キー８５による押下かに応じて再生開始位置を現在の再生開始位置から進む方向または戻る方向に移動する（ステップＳ１１３）。
【００５８】
所定時間以上の長押し（連続入力）であると判断した場合（ステップＳ１１１、ＹＥＳ）、ＣＰＵ１１４は、ステップＳ１０４で求めた動画ファイル全体のＧＯＰ数の１／２０のＧＯＰ数（ｒ）だけ、十字キー８の右キー８４による押下か左キー８５による押下かに応じて再生開始位置を現在の再生開始位置から進む方向または戻る方向に移動する（ステップＳ１１４）。
【００５９】
そして、ＣＰＵ１１４が、ステップＳ１１２またはステップＳ１１３またはステップＳ１１４のいずれかで取得したＧＯＰ数（ｑ、ｒ、ｓ）分再生開始位置を増減させて再生開始位置を現在の再生開始位置から変更すると、ＣＰＵ１１４は、ＬＣＤ５１等の表示デバイスに示される再生開始位置表示バー上の再生開始位置表示を、ジョグダイヤル７および十字キー８の操作により検出した割合分移動させて表示する（ステップＳ１１５）。
【００６０】
ジョグダイヤル７および十字キー８の操作をＣＰＵ１１４が検出し、これらの操作を繰り返し、動画ファイル中の閲覧したい場所に再生開始位置を移動させるとともにそのＧＯＰ番号を取得する。そして、ＣＰＵ１１４が再生開始キーである上キー８２の入力を検出すると（ステップＳ１１８、ＹＥＳ）、再生開始位置が設定されたＧＯＰ番号以降の圧縮動画について再生処理する（ステップＳ１１６）。これらの処理により再生ファイル中の閲覧を希望する位置から瞬時に再生を開始することができる。
【００６１】
次に、第２の実施例について説明する。第２の実施例では、ジョグダイヤル７のみの使用による再生開始位置の移動について説明する。ユーザは、再生する動画ファイルを、所定の操作により選択すると、ＣＰＵ１１４は、選択された動画ファイルをＬＣＤ５１に表示するように制御する。そして、ユーザが、選択された動画ファイルの再生開始位置を移動するためのボタンを押下すると、ＣＰＵ１１４は、再生開始位置変更モードとしてＬＣＤ５１に表示する。再生開始位置変更モードは、動画ファイルの圧縮動画、再生開始位置表示バー、再生開始位置表示バー上に現在の再生開始位置が表示されている。現在の再生開始位置は、再生開始位置表示バーの横軸を動画ファイルの開始から終了までの１ファイル分と換算したときの位置に表示されている。例えば、再生開始位置が、動画ファイルの半分の位置に移動した場合、ＬＣＤ５１上に表示される再生開始位置は、再生開始位置表示バーのちょうど半分の位置に表示されることとなる。再生開始位置変更モードにおける初期画面では、ＬＣＤ５１上に表示される再生開始位置は、再生開始位置表示バーの横軸の左端、つまり、動画ファイルのＧＯＰ番号が♯１の圧縮動画を再生する位置である。
【００６２】
ここでは、例えば、ユーザが再生を選択した動画ファイルは、図７に示すように、１ファイル分でＧＯＰ数２４００、記録時間２０分の動画ファイルとする。再生開始位置変更モードが選択されたときに、ユーザがジョグダイヤル７を回転させると、それに従って再生開始位置が移動する。ＣＰＵ１１４は、ジョグダイヤル７の１回転を動画ファイルの開始から終了までの１ファイル分に対応するように制御する。つまり、ＣＰＵ１１４は、ジョグダイヤル７の回転方向に沿った基準となる回転角によって移動するＧＯＰ数を算出する。ここに示す例では、動画ファイルの１ファイル分のＧＯＰ数が２４００なので、ＣＰＵ１１４が、ジョグダイヤル７による１回転の回転操作を検出すると、動画ファイルのＧＯＰ番号が♯１の圧縮動画を再生する位置から動画ファイルのＧＯＰ番号が♯２４００の圧縮動画が終了する位置まで再生開始位置が移動する。つまり、ジョグダイヤル７の回転角が３度につきＧＯＰ数が２０移動する。言い換えると、ＣＰＵ１１４は、１周に対する回転の割合に動画ファイル全てのＧＯＰ数を乗じて得たＧＯＰ数を移動する。ＣＰＵ１１４がジョグダイヤル７の右方向への回転操作を検出すると、再生開始位置を現在の再生開始位置から進む方向に、ジョグダイヤル７の左方向への回転操作を検出すると、再生開始位置を現在の再生開始位置から戻る方向に移動させる。
【００６３】
ユーザが、ＧＯＰ数２４００である動画ファイルについて半分の位置から閲覧希望したとき、ユーザによるジョグダイヤル７の右方向への半回転操作を検出すると、ＣＰＵ１１４は、再生開始位置をＧＯＰ番号が♯１２０１の圧縮動画を再生する位置に移動する。ＣＰＵ１１４は、ＬＣＤ５１に表示している再生開始位置表示バー上の再生開始位置も再生開始位置表示バーのちょうど半分の位置まで移動して表示する。そして、ユーザによる再生決定キーである上キー８２の押下を検出すると、ＣＰＵ１１４は、現在の再生開始位置から動画ファイルを再生する。ジョグダイヤル７の左右方向の回転操作に従って、動画ファイルの再生開始位置を移動することができるので、ユーザは片手で、簡単に所望の操作ができることになる。
【００６４】
ここでは、ジョグダイヤル７の１回転を動画ファイルの開始から終了までの１ファイル分に対応するようにしているが、２回転、３回転を１ファイル分に対応させてもよい。例えば、ＧＯＰ数が所定以上の動画ファイル（撮影時間が長い動画ファイル）について再生開始位置変更モードが選択された場合は、ジョグダイヤル７の１回転を動画ファイルの１ファイル分に対応させると、ジョグダイヤル７の回転角に対して移動するＧＯＰ数が多くなってしまう。そのため、ジョグダイヤル７を少し回転させただけで、多くのＧＯＰ数を飛ばして再生開始位置する。ジョグダイヤル７の２回転、３回転を１ファイル分に対応させることで、ジョグダイヤル７の回転角に対して移動するＧＯＰ数を減らすことができる。よって、ユーザが閲覧希望の場所をより正確に検索することが可能となる。この場合も、ユーザは片手でジョグダイヤル７を操作すればいいので、操作性が劣ることはない。
【００６５】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。  
以下、本願の出願当初の特許請求の範囲の記載を付記する。
【００６６】
［１］動画映像を撮影する撮影手段と、前記撮影手段により撮影された１ファイルの動画映像を等時間間隔で分割してグループ化した複数の映像情報を記憶する記憶手段と、前記記憶手段に記憶された動画映像の再生を指示するための複数のキーを有した操作手段と、前記操作手段の有する第１キーの操作に対応して、前記１ファイルの全ての映像情報に対して所定割合だけ現在再生開始位置から再生開始位置を変更し、前記操作手段の有する第２キーの操作に対応して、前記１ファイルの全ての映像情報に対して、前記第１キーの操作に対応した割合と異なる所定割合だけ現在再生開始位置から再生開始位置を変更するスキップ再生手段と、を備えたことを特徴とする撮影装置。
【００６７】
［２］前記第１キーはダイヤルキーであり、前記第２キーは方向キーであり、前記スキップ再生手段は、前記ダイヤルキーによる右方向への回転、前記方向キーの右キーの押下、前記方向キーの右キーの所定時間以上の長押し、それぞれ１回の操作に対して、前記１ファイルの全ての映像情報の１／ｓ、１／ｒ、１／ｑ分（ｓ、ｒ、ｑ：自然数）の映像情報だけ再生開始位置を現在再生開始位置から進む方向に移動させることを特徴とする上記［１］記載の撮影装置。
【００６８】
［３］前記スキップ再生手段は、前記ダイヤルキーによる左方向への回転、前記方向キーの左キーの押下、前記方向キーの左キーの所定時間以上の長押し、それぞれ１回の操作に対して、前記１ファイルの全ての映像情報の１／ｓ、１／ｒ、１／ｑ分（ｓ、ｒ、ｑ：自然数）の映像情報だけ再生開始位置を現在再生開始位置から戻る方向に移動させることを特徴とする上記［２］記載の撮影装置。
【００６９】
［４］前記１ファイル全体における再生開始位置を表示する表示手段と、前記操作手段における再生キーの押下に基づいて、前記スキップ再生手段により移動した再生開始位置から前記動画映像を再生する再生制御手段と、を有することを特徴とする上記［３］記載の撮影装置。
【００７０】
［５］動画映像を撮影する撮影手段と、前記撮影手段により撮影された１ファイルの動画映像を等時間間隔で分割してグループ化した複数の映像情報を記憶する記憶手段と、前記記憶手段に記憶された動画映像の再生を設定するために回転操作する操作手段と、前記操作手段の回転方向に沿った１周に対する回転の割合に前記動画映像における全ての映像情報の数を乗じて得た映像情報の数を前記動画映像の初めの映像情報から飛ばして再生開始位置とするスキップ再生手段と、を備えたことを特徴とする撮影装置。
【００７１】
［６］動画映像を撮影し、撮影された１ファイルの動画映像を等時間間隔で分割してグループ化した複数の映像情報を記憶し、前記記憶手段に記憶された動画映像の再生を指示するための複数のキーに含まれる第１キーの操作に対応して、前記１ファイルの全ての映像情報に対して所定割合だけ現在再生開始位置から再生開始位置を変更し、第２キーの操作に対応して、前記１ファイルの全ての映像情報に対して、前記第１キーの操作に対応した割合と異なる所定割合だけ現在再生開始位置から再生開始位置を変更する、ことを特徴とする動画再生方法。
【符号の説明】
【００７２】
１…本体、２…レンズ、３…フラッシュ、４…シャッターボタン、５…表示部、６…動画レコードボタン、７…ジョグダイヤル（回転体）、８…十字キー、９…メニューボタン、１０…ズームバー、１１…モードレバー、１２…パワーボタン、２１…収納部、５１…ＬＣＤ、５２…スピーカー、１０１…ＣＣＤ、１０２…信号処理回路、１０３…伸張／圧縮回路、１０４…メモリ、１０５…ＨＤＤ、１０６…メモリカード、１０７…デコーダ、１０８…ＬＣＤドライバ、１１０…ＬＡＮコントローラ、１１１…ＵＳＢコントローラ、１１２…ＬＡＮ端子、１１３…ＵＳＢ端子、１１４…ＣＰＵ、１１５…バス。
【図１】
2012170129.tif 000003
【図２】
2012170129.tif 000004
【図３】
2012170129.tif 000005
【図４】
2012170129.tif 000006
【図５】
2012170129.tif 000007
【図６】
2012170129.tif 000008
【図７】
2012170129.tif 000009
【図８】
2012170129.tif 000010